(57)【要約】  不連続受信（ＤＲＸ）がセル・ハンドオーバー測定の正確性および信頼性を低減するという技術的問題を解決するために、本発明は、ＵＥおよびｅＮｏｄｅＢ機器においてＤＲＸの構成および測定を実行する方法を提案する。本方法は、隣接セルが発見されたことを判定するステップを含み、ＵＥは、ＤＲＸ構成を更新し、ｅＮｏｄｅＢ機器は、ＤＲＸ構成をＵＥと同期して更新し、ＵＥは、更新されたＤＲＸ構成に基づいて隣接セルに関してハンドオーバーのために使用される測定を実行し、測定レポートをＵＥにサービスを提供しているｅＮｏｄｅＢ機器に送信し、ｅＮｏｄｅＢ機器は、ＵＥによって送信された測定レポートを受信する。測定の柔軟性が改善される。好ましくは、更新されたＤＲＸ構成は、測定機会に一致し、これによって、より正確で信頼性の高い測定結果を提供することができる。
2014526200.tif 000002
【特許請求の範囲】
【請求項１】
ＵＥにおいて、セル間ハンドオーバーのために使用されるＤＲＸの構成および測定を実行するための方法であって、
ｉ  隣接セルが発見されたことを判定するステップと、
ｉｉ  前記ＵＥのＤＲＸ構成を更新するステップと、
ｉｉｉ  前記更新されたＤＲＸ構成に基づいて前記隣接セルに関してハンドオーバーのために使用される測定を実行し、前記ＵＥが属するｅＮｏｄｅＢ機器に測定レポートを送信するステップと
を含む方法。
【請求項２】
前記ステップｉが、前記ＵＥがそれ自体で前記隣接セルを検出することにより実行され、
前記ステップｉｉが、
−  前記ＤＲＸ構成をデフォルト構成に更新する項目、
−  新しい構成を更新し前記更新された構成を前記ＵＥに送信する前記ｅＮｏｄｅＢ機器に指示を送信し、前記ｅＮｏｄｅＢ機器によって送信された前記更新された構成を受信し、前記ＤＲＸ構成を前記更新された構成に更新する項目、および
ｂ  前記ＤＲＸ構成を複数の予め記憶されている構成のうちの１つの構成に更新する項目
のいずれか１つを含む、請求項１に記載の方法。
【請求項３】
前記ステップｉが、前記ｅＮｏｄｅＢ機器が前記ＵＥに前記隣接セルが発見されたことを通知することにより実行され、
前記ステップｉｉが、
ａ  前記ｅＮｏｄｅＢ機器によって送信された最新の構成を受信し、前記ＤＲＸ構成を前記最新の構成に更新するステップ、
ｂ  前記ＤＲＸ構成を複数の予め記憶されている構成のうちの１つの構成に更新するステップ
のいずれか１つを含む、請求項１に記載の方法。
【請求項４】
前記ステップｂが、
ｘ  前記ｅＮｏｄｅＢ機器によって送信された、前記複数の予め記憶されている構成のうちの１つの構成のインデックスを受信し、前記ＤＲＸ構成を前記インデックスに対応する構成に更新する項目、
ｙ  前記ＤＲＸ構成に関連するパラメータを決定し、前記関連するパラメータに従って、および所定のアルゴリズムに基づいて、前記複数の予め記憶されている構成のうちの１つの構成を決定し、前記ＤＲＸ構成を前記決定された構成に更新する項目
のいずれか１つを含む、請求項２または３に記載の方法。
【請求項５】
前記ＤＲＸ構成に関連する前記パラメータが、
−  前記ＵＥの移動速度
を含み、
前記ＤＲＸ構成に関連する前記パラメータを決定する前記動作が、
−  前記ｅＮｏｄｅＢ機器によって送信された前記パラメータを受信するステップ、
−  前記ＵＥ自体で前記パラメータを測定するステップ
のいずれか１つを含む、請求項４に記載の方法。
【請求項６】
前記ＵＥがそれ自体で前記パラメータを測定する場合、
−  前記ｅＮｏｄｅＢ機器が前記ＤＲＸ構成を同期させるために、前記パラメータ、または前記複数の予め記憶されている構成のうちの前記決定された１つの構成のインデックスを前記ｅＮｏｄｅＢ機器に送信するステップ
をさらに含む、請求項５に記載の方法。
【請求項７】
前記更新されたＤＲＸ構成が、ハンドオーバーのために使用される前記測定の各測定機会に対応し、
前記ステップｉの後に、前記ＵＥが第１の状態から第２の状態に移り、
前記ステップｉｉｉの後に、所定の状態が満たされると、前記ＵＥが前記第２の状態から前記第１の状態に移り、前記所定の状態は、
−  前記ｅＮｏｄｅＢ機器からハンドオーバー・コマンドを受信すること、
−  無線リンク障害のイベントに気づくこと、
−  前記ＵＥが、前記ハンドオーバー・コマンドを受信しないか、または無線リンク障害の前記イベントが生じない場合は、前記検出された隣接セルのカバレッジから出ること
のいずれか１つを含む、
請求項１に記載の方法。
【請求項８】
前記ステップｉｉｉの後に、前記所定の状態が満たされると、前記第２の状態から前記第１の状態に変わり、新たに構成された前記ＤＲＸをスイッチオフする、請求項７に記載の方法。
【請求項９】
ｅＮｏｄｅＢ機器において、ＤＲＸの構成および測定を実行するようＵＥを制御する方法であって、
ｉ  前記ＵＥに対する隣接セルが発見されたことを判定するステップと、
ｉｉ  前記ＵＥと同期してＤＲＸ構成を更新するステップと、
ｉｉｉ  前記ＵＥによって送信された測定レポートを受信するステップであって、前記測定レポートが、前記更新されたＤＲＸ構成に基づいて前記隣接セルに関してハンドオーバーのために使用される測定を実行することにより前記ＵＥによって取得される、ステップと
を含む方法。
【請求項１０】
前記ステップｉが、前記隣接セルが発見されたことを前記ＵＥが通知することにより実行され、前記ステップｉｉが前記ＵＥと同期させるためにデフォルト構成を採用するか、または
前記ステップｉが、前記隣接セルが発見されたことを前記ＵＥが通知することにより実行され、
前記ステップｉｉが、
ａ  新しいＤＲＸを構成し、前記更新された構成を前記ＵＥに送信するステップ、
ｂ  前記ＵＥおよび／または前記ｅＮｏｄｅＢ機器によって決定された複数の予め記憶されている構成のうちの１つの構成を採用し、前記ＵＥおよび前記ｅＮｏｄｅＢ機器を同期させるステップ
のいずれか１つを含む、
請求項９に記載の方法。
【請求項１１】
前記ステップｉが、前記ｅＮｏｄｅＢ機器がそれ自体で前記隣接セルを検出することにより実行され、
前記ステップｉｉが、
ａ  新しいＤＲＸを構成し、前記更新された構成を前記ＵＥに送信するステップ、
ｂ  前記ＵＥおよび／または前記ｅＮｏｄｅＢ機器によって複数の予め記憶されている構成のうちの１つの構成を決定し、前記ＵＥおよび前記ｅＮｏｄｅＢ機器を同期させるステップ
のいずれか１つを含む、
請求項９に記載の方法。
【請求項１２】
前記ステップｂが、
ｘ  前記ＵＥによって送信された、前記複数の予め記憶されている構成のうちの１つの構成のインデックスを受信し、前記インデックスに対応する構成と同期させるステップ、
ｙ  前記ＤＲＸ構成に関連するパラメータを決定し、前記関連するパラメータに従って、および所定のアルゴリズムに基づいて、前記複数の予め記憶されている構成のうちの１つを決定するステップであって、前記パラメータが前記ｅＮｏｄｅＢ機器および／または前記ＵＥによって決定される、ステップ
のいずれか１つを含む、
請求項１０または１１に記載の方法。
【請求項１３】
前記ＤＲＸ構成に関連する前記パラメータが、
−  前記ＵＥの移動速度
を含み、
前記ＤＲＸ構成に関連する前記パラメータを決定する前記動作が、
−  前記ｅＮｏｄｅＢ機器それ自体で前記パラメータを測定する項目、
−  前記ＵＥによって送信された前記パラメータを受信する項目
のいずれか１つを含む、
請求項１２に記載の方法。
【請求項１４】
前記ステップｙが、
−  前記ｅＮｏｄｅＢ機器がそれ自体で前記パラメータを測定する場合、前記パラメータを前記ＵＥに送信するステップ、
−  前記複数の予め記憶されている構成のうちの前記１つの構成の前記インデックスを前記ＵＥに送信するステップ
のいずれか１つを含む、
請求項１３に記載の方法。
【発明の詳細な説明】
【技術分野】
【０００１】
本発明は、無線通信技術に関し、特に、無線ＨｅｔＮｅｔの通信技術におけるＤＲＸ（不連続受信）技術に関する。
【背景技術】
【０００２】
ＲＡＮ＃５１会議において、「ＬＴＥ  ＨｅｔＮｅｔのために使用されるモビリティ改善」という研究項目が合意されている。この研究項目は、測定が利用可能であるとの想定のもとで各ＵＥ（ユーザ機器）のロバストなモバイル機能（ＤＲＸ機能を含む）ならびにＵＥの電力消費および複雑性を考察し保証する必要がある。ＨｅｔＮｅｔの展開における１つの課題は、ロバストなモバイル機能およびＵＥの電力消費を低減することである。現在の規格は、ネットワークでＵＥを不連続受信（ＤＲＸ）において接続モードに構成可能にすることにより、ＵＥの電力消費の課題を解決している。ＤＲＸ周期のパラメータ化は、電池節約と待ち時間との間のトレードオフを含む。
【０００３】
ＨｅｔＮｅｔでは、ＵＥによるマクロセルとマイクロセルとの間のハンドオーバー動作が頻繁に行われる。最初に、ハンドオーバー手順は、ハンドオーバー先セル（隣接セル）が発見された時に始まる。次いで、ＵＥが、所定の測定要件に基づいてハンドオーバー先セルの測定を実行し、測定結果をサービング・セルのｅＮｏｄｅＢ機器にフィードバックする。サービング・セルのｅＮｏｄｅＢ機器が、ハンドオーバーを実行するかどうかを判断し、次いで、次に続くシグナリングを制御する。しかし、接続モードで構成されたＤＲＸ  ＵＥでは、ＤＲＸ  ＵＥが測定を実行した時に、まばらな測定サンプルが生じる可能性がある。ＤＲＸのオン期間が測定の期間に一致しない場合は、これは、測定評価期間内にまばらな測定サンプルを生じさせ、結果として、測定データの正確性および信頼性が低下する。図１に示されているように、時間Ｔ０において、隣接セルの発見が終了し、ＵＥが隣接セルに関して測定を開始する。各測定機会が矢印によって示されており、隣接する測定機会は測定間隔を有する。ＵＥのＤＲＸ状態が矩形波によって示されており、高レベルは受信状態（ＤＲＸオン）を示し、低レベルは非受信状態（ＤＲＸオフ）を示す。明らかに、測定するための各測定機会において、ＵＥが非受信状態にある可能性があり、したがって、測定値が測定機会において取得されない可能性がある。最終測定結果は、測定周期内の全測定機会において測定値を計算することにより取得されるので、ＤＲＸは、測定結果を不正確にする可能性がある。特に、トリガ時間機構が採用されている場合は、有効期限後にトリガされた測定レポートは不正確であり、これは、ＵＥモビリティの信頼性がかなり低下することにつながる。図３に示されているように、隣接セルの測定品質がサービング・セルのものより一定の閾値だけ高い場合は、測定イベントがトリガされる。その後、ＵＥは、所与の時間帯ＴＴＴを連続して測定し、時間帯後にレポート・イベントをトリガしなければならない。ＵＥは、時間帯ＴＴＴ内に測定結果によって測定レポートを生成しなければならない。図に示されているように、測定イベントがトリガされた後に、ＵＥはＤＲＸオンの状態にあり、測定を実行するが、ＤＲＸの現在の構成のために、ＤＲＸはすぐにオフ状態に戻り、ＴＴＴ時間帯の残余の時間にオフ状態を続け、したがって、ＵＥは、残余の時間に測定し続けることができず、これは、測定結果を不正確にする。
【０００４】
ＨｅｔＮｅｔには多くのマイクロセル（スモールセル）があり、頻繁にハンドオーバー手順が行われるので、ＵＥは、頻繁に測定を実行する必要がある。したがって、ＨｅｔＮｅｔでは、ＤＲＸのオン持続時間と測定周期との間の不一致が不正確な測定につながるという上記の既存の問題が特に明らかになる。
【０００５】
さらに、ＵＥが測定結果をｅＮｏｄｅＢ機器に送信する場合は、ＵＥは、ｅＮｏｄｅＢ機器からハンドオーバー・コマンドを受信する必要がある。しかし、ＵＥは、ｅＮｏｄｅＢ機器からハンドオーバー・コマンドを受信する前にＤＲＸオフの状態に戻る可能性があり、その場合、ＵＥはハンドオーバー・コマンドを時間どおりに受信することができず、これは余分な遅延につながり、ハンドオーバーに影響を与える。
【０００６】
現在、これらの技術的問題に関しては、当業界には有効な解決策が何もない。
【発明の概要】
【０００７】
上記の技術的問題に対処するために、本発明の好ましい実施形態は、ＤＲＸのもとでの不正確な測定の問題を解決し、正確で信頼性の高い測定およびレポートを提供することができる技術的解決策を提供することを意図するものである。本発明の好ましい実施形態はまた、ＤＲＸによって生じるハンドオーバー・コマンド遅延の問題を解決することを意図するものである。
【０００８】
本発明の発明概念は、隣接セルを発見した後に、ＵＥおよびｅＮｏｄｅＢ機器のためのＤＲＸの構成を更新し、更新されたＤＲＸに基づいて測定を実行し、このようにして測定の柔軟性を改善することである。
【０００９】
本発明の基本的態様によれば、ＵＥにおいてセル間ハンドオーバーのために使用されるＤＲＸの構成および測定を実行するための方法であって、
ｉ  隣接セルが発見されたと判定するステップ、
ｉｉ  ＵＥのＤＲＸ構成を更新するステップ、
ｉｉｉ  更新されたＤＲＸ構成に基づいて隣接セルに関してハンドオーバーのために使用される測定を実行し、ＵＥが属するｅＮｏｄｅＢ機器に測定レポートを送信するステップ
を含む方法が提供される。
【００１０】
本態様の利点は、測定の柔軟性を改善することである。
【００１１】
好ましい実施形態によれば、ステップｉは、ＵＥがそれ自体で隣接セルを検出するか、またはｅＮｏｄｅＢ機器が、隣接セルが発見されたことをＵＥに通知することにより実行される。本実施形態は、隣接セルを発見するために２つの特定の実施方法を提供する。
【００１２】
他の好ましい実施形態によれば、ステップｉｉは、ＤＲＸ構成をデフォルト構成に更新することにより実行される。本実施形態は、より迅速にＤＲＸを更新し測定を実行することができる。
【００１３】
あるいは、ステップｉｉは、ｅＮｏｄｅＢ機器によって送信された最新の構成を受信することにより実行される。本実施形態は、ｅＮｏｄｅＢ機器が好ましいＤＲＸ構成を決定することができるようにし、ｅＮｏｄｅＢ機器が制御することができるようにする。
【００１４】
あるいは、ステップｉｉは、ＤＲＸ構成を複数の予め記憶されている構成のうちの１つの構成に更新することにより実行され、ＤＲＸ構成に関連するパラメータを決定し、関連パラメータに従って、および所定のアルゴリズムに基づいて、複数の予め記憶されている構成のうちの１つの構成を決定し、ＤＲＸ構成を決定された構成に更新する。本実施形態は、関連パラメータ、例えばＵＥの移動速度に基づいて、好ましいＤＲＸ構成を決定し、このようにして、より正確な測定結果を得る。
【００１５】
他の好ましい実施形態によれば、更新されたＤＲＸ構成は、ハンドオーバーのために使用される測定の各測定機会に対応している。本実施形態の利点は、より正確な測定結果を提供することができることである。
【００１６】
他の好ましい実施形態によれば、ステップｉの後に、ＵＥは、第１の状態から第２の状態に移る。
【００１７】
ステップｉｉｉの後に、所定の状態が満たされると、ＵＥは第２の状態から第１の状態に移り、所定の状態は、
−  ｅＮｏｄｅＢ機器からハンドオーバー・コマンドを受信すること、
−  無線リンク障害のイベントに気づくこと、
−  ＵＥがハンドオーバー・コマンドを受信しないかまたは無線リンク障害のイベントが生じない場合は、検出された隣接セルのカバレッジから出ること
のうちのいずれか１つを含む。
【００１８】
本実施形態は、ＵＥを実装する時に採用されてもよいステート・マシンを提供する。
【００１９】
さらに好ましくは、ステップｉｉｉの後に、所定の状態が満たされると、第２の状態から第１の状態に変わり、新たに構成されたＤＲＸをスイッチオフする。この利点は、ＤＲＸをスイッチオフした後に、ＵＥが常に受信状態にあり、ｅＮｏｄｅＢ機器によって送信されたハンドオーバー・コマンドを遅延することなく受信することができることである。
【００２０】
したがって、本発明の他の態様に基づいて、ｅＮｏｄｅＢ機器において、ＤＲＸの構成および測定を実行するようにＵＥを制御する方法であって、
ｉ．ＵＥに対する隣接セルが発見されたことを判定するステップと、
ｉｉ．ＤＲＸ構成をＵＥと同期して更新するステップと、
ｉｉｉ．ＵＥによって送信された測定レポートを受信するステップであって、測定レポートが、更新されたＤＲＸ構成に基づいて隣接セルに関してハンドオーバーのために使用される測定を実行することにより、ＵＥによって取得される、ステップと
を含む方法が提供される。
【００２１】
本発明の他の利点、態様および特徴は、以下で説明されるか、または以下の説明によって当業者によって理解されるであろう。
【００２２】
下記は、本発明の好ましい実施形態を添付の図面を参照しながら実施例によってより具体的に説明する。
【図面の簡単な説明】
【００２３】
【図１】従来技術におけるＤＲＸオン状態の持続時間が測定周期と一致しない状態を例示する図である。
【図２】現在の技術においてＤＲＸオン状態の持続時間がトリガ時間機構のもとで測定周期と一致しない状態を例示する図である。
【図３】本発明の一態様によるＵＥの状態遷移図である。
【図４】本発明の一態様によるＤＲＸの構成を例示する図である。
【図５】本発明の一態様によるＤＲＸの他の構成を例示する図である。
【００２４】
図面では、同一または同様の参照符号は、ステップまたは構成要素（モジュール）の同一または同様の特徴を表す。
【発明を実施するための形態】
【００２５】
下記では、図３から図５を参照しながら本発明の方法および機器を詳細に説明する。
【００２６】
本発明は、正確で信頼性の高い測定をサポートし、ロバストなハンドオーバー手順をサポートするために、電力消費が少ない簡単な解決策を提案する。本解決策の好ましい実施形態は、ＤＲＸ構成によって生じるまばらな測定の問題を解決することができるばかりでなく、ＤＲＸによって生じるハンドオーバー・コマンド遅延の問題を解決することもできる。
【００２７】
本解決策では、ＵＥのために、
ｉ．隣接セルが発見されたことを判定するステップと、
ｉｉ．ＵＥのＤＲＸ構成を更新するステップと、
ｉｉｉ．更新されたＤＲＸ構成に基づいて隣接セルに関してハンドオーバーのために使用される測定を実行し、ＵＥが属するｅＮｏｄｅＢ機器に測定レポートを送信するステップと
を含む。
【００２８】
好ましくは、ＵＥは、第１の状態（もしくは通常の状態と呼ばれる）にあっても、または第２の状態（もしくはアラーム状態と呼ばれる）にあってもよい。この場合、第１の状態は、マクロセルのために使用され（またはマクロセルのために使用されず）、第２の状態は、更新されたＤＲＸ構成のために使用される。隣接セルを発見するとすぐ、ＵＥはアラーム状態に入ることができる。
【００２９】
ステップｉｉｉの後に、所定の状態が満たされると、ＵＥは第２の状態から第１の状態に移り、所定の状態は、
−  ｅＮｏｄｅＢ機器からハンドオーバー（ＨＯ）・コマンドを受信すること、
−  無線リンク障害（ＲＬＦ）のイベントに気づくこと、
−  ＵＥが、ハンドオーバー・コマンドを受信しないか、または無線リンク障害のイベントが生じない場合は、検出された隣接セルのカバレッジから出ること
のいずれか１つを含む。
【００３０】
図３は、ＵＥが２つの状態間で遷移する図を示す。
【００３１】
したがって、ｅＮｏｄｅＢ機器のために、ｅＮｏｄｅＢ機器においてＤＲＸの構成および測定を実行するようＵＥを制御する方法は、
ｉ．ＵＥに対する隣接セルが発見されたことを判定するステップと、
ｉｉ．ＤＲＸ構成をＵＥと同期して更新するステップと、
ｉｉｉ．ＵＥによって送信された測定レポートを受信するステップであって、測定レポートが、更新されたＤＲＸ構成に基づいて隣接セルに関してハンドオーバーのために使用される測定を実行することにより、ＵＥによって取得される、ステップと
を含む。
【００３２】
さらに具体的には、上記ステップｉにおいて、隣接セルの発見は、ＵＥを介して測定しｅＮｏｄｅＢに通知することにより実行されてもよく、ｅＮｏｄｅＢを介して測定しＵＥに通知することにより実行されてもよい。
【００３３】
上記ステップｉｉは、
−  ＵＥおよびｅＮｏｄｅＢ機器が、例えばＤＲＸを閉じて、ＤＲＸ構成をデフォルト構成にそれぞれ更新するモード、
−  ｅＮｏｄｅＢ機器が、ＤＲＸ構成を決定し構成し、構成をシグナリングによってＵＥに通知するモード、
−  ＵＥおよび／またはｅＮｏｄｅＢ機器が、複数の予め記憶されている構成のうちの１つの構成を決定し、ＵＥおよびｅＮｏｄｅＢ機器を構成と同期させるモード
などのいくつかのモードで実行されてもよい。より具体的には、ＵＥおよび／またはｅＮｏｄｅＢ機器は、測定を介して、ＤＲＸに関連するパラメータ、例えばＵＥの移動速度を取得し、それらのパラメータによって、複数の予め記憶されている構成のうちの１つの構成を決定することができ、次いで、構成のパラメータまたはインデックスをシグナリングによってＵＥおよび／またはｅＮｏｄｅＢ機器に送信し、このようにして、ＵＥおよび／またはｅＮｏｄｅＢ機器が、パラメータを介して構成を決定するまたは直接構成に気づくことができるようにする。
【００３４】
下記は、さらにいくつかの特定の解決策を使用して、本発明を詳細に説明する。
【００３５】
解決策１
本方式は、隣接セルがＵＥによって発見されたこと、例えば、ＵＥが一度訪問したセルを維持し、隣接セルが一度訪問したマイクロセルに属することを決定することに対応する。セルが発見された後に、ＵＥは隣接セルに関して測定を開始し、好ましくは、自動的にアラーム状態に入り、例えばオン状態を保持して（すなわちＤＲＸを閉じて）、ＤＲＸ構成をデフォルト構成に更新する。構成されたＤＲＸ状態および測定機会が図４として示されている。測定を終了した後に、ＵＥは、測定結果を計算して取得し、測定レポートをｅＮｏｄｅＢ機器に送信する。
【００３６】
１つの構成のもとでは、測定レポートを受信した後に、ｅＮｏｄｅＢ機器は、サービング・セルおよび隣接セルのタイプに基づいて、ＵＥがアラーム状態に入ったことに気づく。他の構成のもとでは、ＵＥは、ｅＮｏｄｅＢ機器に、アラーム指示を測定レポートに入れるなどしてＵＥがアラーム状態に入ったことを通知し、ｅＮｏｄｅＢ機器は、ＵＥと同期しており、ＤＲＸオン状態を保持する。
【００３７】
解決策２
本解決策は、隣接セルがＵＥによって発見されることに対応する。ＵＥは、隣接セルを探索し発見するとすぐ、ＵＥがアラーム状態に入ることを示す指示情報をｅＮｏｄｅＢ機器に送信する、すなわち、ｅＮｏｄｅＢ機器に、ＵＥのＤＲＸ構成が測定要件を満たすように更新されるべきであることを示す。ｅＮｏｄｅＢ機器は、指示情報を受信する。
【００３８】
その後、ｅＮｏｄｅＢ機器は、新しいＤＲＸを構成し、更新されたＤＲＸ構成をＵＥに送信する、例えば、構成されたＤＲＸのオンおよびオフ持続時間をＵＥに通知する。新しいＤＲＸはさらにＵＥの移動速度に関係してもよい。
【００３９】
ＵＥは、ｅＮｏｄｅＢ機器によって送信された、更新された構成を受信し、ＤＲＸ構成を更新されたものに更新する。
【００４０】
解決策３
本解決策は、隣接セルがＵＥによって発見されることに対応する。ＵＥは、隣接セルを探索し発見するとすぐ、ＵＥがアラーム状態に入ることを示す指示情報をｅＮｏｄｅＢ機器に送信し、これは、ｅＮｏｄｅＢ機器にＵＥのＤＲＸ構成が測定要件を満たすように更新されるべきであることを通知する。ｅＮｏｄｅＢ機器は、指示情報を受信する。
【００４１】
さらに、ＵＥは、前もって、ＤＲＸ構成のセットを予め記憶している。ＵＥおよびｅＮｏｄｅＢ機器は、ＤＲＸ構成に影響を与えるパラメータに従って、予め記憶されているＤＲＸ構成のセットから１つを選択して更新する。
【００４２】
例えば、１つの場合では、ＤＲＸ構成に影響を与えるパラメータ、例えばＵＥの移動速度が、測定を介して、次いで所定のアルゴリズムによって、ｅＮｏｄｅＢ機器によって取得され、ｅＮｏｄｅＢ機器は、予め記憶されているＤＲＸ構成のセットから１つを選択してＤＲＸ構成を構成し、ＤＲＸ構成のセット内のＤＲＸ構成のインデックスをＵＥに送信するか、またはＤＲＸ構成に影響を与えるパラメータをＵＥに直接送信し、ＵＥは、同じ所定のアルゴリズムによって、記憶されている予め記憶されているＤＲＸ構成のセットから１つを選択してＤＲＸ構成を更新する。
【００４３】
他の場合には、ＤＲＸ構成に影響を与えるパラメータが、測定を介して、次いで所定のアルゴリズムによって、ＵＥによって取得され、ＵＥは、予め記憶されているＤＲＸ構成のセットから１つを選択してＤＲＸ構成を構成し、ＤＲＸ構成のセット内のＤＲＸ構成のインデックスをｅＮｏｄｅＢ機器に送信するか、またはＤＲＸ構成に影響を与えるパラメータをｅＮｏｄｅＢ機器に直接送信し、ｅＮｏｄｅＢ機器は、同じ所定のアルゴリズムによって、予め記憶されているＤＲＸ構成のセットから１つを選択してＤＲＸ構成を更新する。
【００４４】
さらに、他の場合には、ＵＥおよびｅＮｏｄｅＢ機器は、ＤＲＸ構成に影響を与えるパラメータをそれぞれ測定することができる。別々に同じ所定のアルゴリズムによって、ＵＥおよびｅＮｏｄｅＢ機器は、予め記憶されているＤＲＸ構成のセットから１つをそれぞれ選択してＤＲＸ構成を更新し、これによってＵＥとｅＮｏｄｅＢ機器との間のシグナリングによる対話を少なくする。
【００４５】
解決策４
本解決策は、隣接セルがｅＮｏｄｅＢ機器によって発見される、例えばｅＮｏｄｅＢ機器がそれ自体といくつかの隣接セルとの間にトポロジカル構造を維持し、ＵＥが、ＵＥの現在の位置によって、あるセルに隣接していることを判定することに対応する。さらに、ｅＮｏｄｅＢ機器は、隣接セルの発見をシグナリングによってＵＥに通知する。ＵＥは、それに対応してアラーム状態に入る。
【００４６】
次いで、ｅＮｏｄｅＢ機器は、新しいＤＲＸを構成し、更新されたＤＲＸ構成をＵＥに送信する。ＵＥは、例えば、図４に示されているようにオン状態を保持して（すなわち、ＤＲＸを閉じて）、ＵＥのＤＲＸ構成を更新された構成に更新する。他の実施例では、構成と測定周期との間の関係が図６によって示されており、オン状態の持続時間は非常に短く、好都合な測定のために測定機会に一致する。その後、ＵＥは、電力を節約するためにオフ状態に戻り、次に来る測定機会において測定するためにオン状態に戻り、このように反復する。ＵＥが測定レポートを送信した後に、ＵＥは、ｅＮｏｄｅＢ機器からのＨＯコマンドを待つために、ＤＲＸを閉じて、受信状態を保持することができ、これは、ＤＲＸによって生じるＨＯコマンドの送信遅延を回避することができる。
【００４７】
解決策５
本解決策は、隣接セルがｅＮｏｄｅＢ機器によって発見され、ｅＮｏｄｅＢ機器が隣接セルの発見をシグナリングによってＵＥに通知することに対応する。ＵＥは、それに対応してアラーム状態に入る。
【００４８】
さらに、ＵＥは、ＤＲＸ構成のセットを予め記憶している。ＵＥおよびｅＮｏｄｅＢ機器は、ＤＲＸ構成に影響を与えるパラメータによって、予め記憶されているＤＲＸ構成のセットから１つを選択して更新する。
【００４９】
ＤＲＸ構成に影響を与えるパラメータ、例えばＵＥの移動速度が、測定を介してｅＮｏｄｅＢ機器によって取得され、次いで、ｅＮｏｄｅＢ機器は、予め記憶されているＤＲＸ構成のセットから１つを選択して、パラメータに基づいて、および所定のアルゴリズムによって、ＤＲＸ構成を構成する。さらに、ｅＮｏｄｅＢ機器は、ＤＲＸ構成のセット内のＤＲＸ構成のインデックスをＵＥに送信し、ＵＥは、インデックスに対応するＤＲＸ構成を更新するか、またはｅＮｏｄｅＢ機器は、ＤＲＸ構成に影響を与えるパラメータをＵＥに直接送信し、ＵＥは、同じ所定のアルゴリズムによって、予め記憶されているＤＲＸ構成のセットから１つを選択してＤＲＸ構成を更新する。
【００５０】
解決策６
本解決策は、隣接セルがｅＮｏｄｅＢ機器によって発見され、ｅＮｏｄｅＢ機器が隣接セルの発見をシグナリングによってＵＥに通知することに対応する。ＵＥは、それに対応してアラーム状態に入る。
【００５１】
さらに、ＵＥは、ＤＲＸ構成のセットを予め記憶している。ＵＥおよびｅＮｏｄｅＢ機器は、ＤＲＸ構成に影響を与えるパラメータに従って、予め記憶されているＤＲＸ構成のセットから１つを選択して更新する。
【００５２】
ＤＲＸ構成に影響を与えるパラメータ、例えばＵＥの移動速度が、測定を介してＵＥによって取得され、次いで、ＵＥは、所定のアルゴリズムによって、およびパラメータに基づいて、予め記憶されているＤＲＸ構成のセットから１つを選択してＤＲＸ構成を構成する。さらに、ＵＥは、ＤＲＸ構成のセット内のＤＲＸ構成のインデックスをｅＮｏｄｅＢ機器に送信し、ｅＮｏｄｅＢ機器は、インデックスに対応するＤＲＸ構成で構成するか、またはＵＥは、ＤＲＸ構成に影響を与えるパラメータをｅＮｏｄｅＢ機器に直接送信し、ｅＮｏｄｅＢ機器は、同じ所定のアルゴリズムによって、予め記憶されているＤＲＸ構成のセットから１つを選択して、ＤＲＸ構成を更新する。
【００５３】
解決策５および解決策６によって結合された技術的解決策として、ＵＥおよびｅＮｏｄｅＢ機器は、ＤＲＸ構成に影響を与えるパラメータをそれぞれ測定することができ、ＵＥおよびｅＮｏｄｅＢ機器は、同じ所定のアルゴリズムによって、予め記憶されているＤＲＸ構成のセットから１つをそれぞれ選択してＤＲＸ構成を更新し、これによってＵＥとｅＮｏｄｅＢ機器との間のシグナリングによる対話を少なくする。
【００５４】
図面および上記の説明は、本発明を詳細に説明し記述するが、この説明および記述は、限定的ではなく、説明的および例示的であると解釈されるべきである。本発明は、上記の実施形態に限定されない。
【００５５】
当業者は、本明細書、開示、図面および添付の特許請求の範囲を研究することにより、開示された諸実施形態の他の変更形態を理解し実施することができる。本発明の実際の適用では、１つの構成要素は、特許請求の範囲に記載されている複数の技術的特徴の機能を実行することができる。特許請求の範囲では、用語「含む（ｃｏｍｐｒｉｓｅｓ）」は、他の構成要素およびステップを排除せず、用語「ａ」は、複数を排除しない。特許請求の範囲におけるいかなる参照符号も範囲に対する限定と解釈されるべきではない。
【図１】
2014526200.tif 000003
【図２】
2014526200.tif 000004
【図３】
2014526200.tif 000005
【図４】
2014526200.tif 000006
【図５】
2014526200.tif 000007
【国際調査報告】
2014526200.tif 000008
2014526200.tif 000009
2014526200.tif 000010